【手続補正書】
【提出日】平成23年7月12日(2011.7.12)
【手続補正１】
【補正対象書類名】特許請求の範囲
【補正対象項目名】全文
【補正方法】変更
【補正の内容】
【特許請求の範囲】
【請求項１】
イオンを検出する方法であって、
第一の利得により乗算または増幅された信号に対応する第一の信号と、第二の異なる利得により乗算または増幅された信号に対応する第二の信号とをイオン検出器から出力するステップと、
第一のデジタル化信号を生成するために前記第一の信号をデジタル化するステップ及び第二のデジタル化信号を生成するために前記第二の信号をデジタル化するステップと、
前記第一のデジタル化信号から、第一の強度及び到達時間、質量、または質量対電荷比データを決定するステップと、
前記第二のデジタル化信号から、第二の強度及び到達時間、質量、または質量対電荷比データを決定するステップと、
結合データセットを形成するために、前記第一の強度及び到達時間、質量、または質量対電荷比データと前記第二の強度及び到達時間、質量、または質量対電荷比データとを結合するステップと、を備える方法。
【請求項２】
ピークまたはイオン到達事象の第一のセットを検出するために前記第一のデジタル化信号を処理するステップ、及び／または、ピークまたはイオン到達事象の第二のセットを検出するために前記第二のデジタル化信号を処理するステップを備える、請求項１記載の方法。
【請求項３】
（ａ）前記第一のデジタル化信号から、前記第一の強度及び到達時間、質量、または質量対電荷比データを決定する前記ステップは、更に、ピークまたはイオン到達事象の前記第一のセット内のピークまたはイオン到達事象のそれぞれまたは少なくとも一部に対して、第一の強度及び到達時間、質量、または質量対電荷比データを決定するステップを含み、及び／または、
（ｂ）前記第二のデジタル化信号から、前記第二の強度及び到達時間、質量、または質量対電荷比データを決定する前記ステップは、更に、ピークまたはイオン到達事象の前記第二のセット内のピークまたはイオン到達事象のそれぞれまたは少なくとも一部に対して、第二の強度及び到達時間、質量、または質量対電荷比データを決定するステップを含む、請求項２記載の方法。
【請求項４】
（ａ）前記第一の強度及び到達時間、質量、または質量対電荷比データを決定する前記ステップは、更に、ピークまたはイオン到達事象内の最大デジタル化信号が、最大またはフルスケールデジタル化出力に等しいまたは接近していると判断された時、あるいは、他の形で飽和しているまたは飽和に接近している時に、ピークまたはイオン到達事象の前記第一のセット内の各ピークまたはイオン到達事象にマークまたはフラグを付けるステップを含み、及び／または、
（ｂ）前記第二の強度及び到達時間、質量、または質量対電荷比データを決定する前記ステップは、更に、ピークまたはイオン到達事象内の最大デジタル化信号が、最大またはフルスケールデジタル化出力に等しいまたは接近していると判断された時、あるいは、他の形で飽和しているまたは飽和に接近している時に、ピークまたはイオン到達事象の前記第二のセット内の各ピークまたはイオン到達事象にマークまたはフラグを付けるステップを含む、請求項３記載の方法。
【請求項５】
前記第一の強度及び到達時間、質量、または質量対電荷比データと前記第二の強度及び到達時間、質量、または質量対電荷比データとを結合する前記ステップは、更に、
（ａ）マークまたはフラグが付いていない、あるいは、飽和状態に陥っていることまたは接近していることが他の形で示唆されていないピークまたはイオン到達事象のそれぞれまたは少なくとも一部に対して、ピークまたはイオン到達事象の前記第二のセットから、ピーク強度及び到達時間、質量、または質量対電荷比データを選択するステップ、及び／または、
（ｂ）ピークまたはイオン到達事象の前記第二のセットにおいて最も近いまたは近接する到達時間を有する最近接ピークまたは近接ピークまたはイオン到達事象がマークまたはフラグ付けされている時、あるいは、飽和状態に陥っていることまたは接近していることが他の形で示唆されている時、ピークまたはイオン到達事象の前記第一のセットから、ピーク強度及び到達時間、質量、または質量対電荷比データを選択するステップを含む、請求項１ないし請求項４のいずれか記載の方法。
【請求項６】
ピークまたはイオン到達事象の前記第一のセットから選択された前記ピークまたはイオン到達事象をスケール係数によりスケーリングするステップを備える、請求項５記載の方法。
【請求項７】
前記スケール係数は、前記第一の利得に対する前記第二の利得の比に対応するか、近接するか、あるいは他の形で関連する、請求項６記載の方法。
【請求項８】
更に、最終的なスペクトルを形成するために、前記結合データセットを、複数の他の対応する結合データセットに加算するステップを備える、請求項１ないし請求項７のいずれか記載の方法。
【請求項９】
更に、
（ａ）前記第一のデジタル化信号に線形補正を適用するステップ、及び／または、前記第二のデジタル化信号に線形補正を適用するステップ、及び／または、
（ｂ）前記第一のデジタル化信号から、第一の強度及び到達時間、質量、または質量対電荷比データを決定する前記ステップの前に、前記第一のデジタル化信号に線形補正を適用するステップ、及び／または、前記第二のデジタル化信号から、第二の強度及び到達時間、質量、または質量対電荷比データを決定する前記ステップの前に、前記第二のデジタル化信号に線形補正を適用するステップを備える、請求項１ないし請求項８のいずれか記載の請求項記載の方法。
【請求項１０】
前記第一の信号及び前記第二の信号を出力する前記ステップは、イオン検出器から出力された信号を前記第一の信号及び前記第二の信号へ変換、分離、または分割するステップを含む、請求項１ないし請求項９のいずれか記載の方法。
【請求項１１】
（ａ）前記第一の利得は、前記第二の利得より実質的に大きく、あるいは、
（ｂ）前記第二の利得は、前記第一の利得より実質的に大きい、請求項１ないし請求項１０のいずれか記載の方法。
【請求項１２】
前記第一の信号をデジタル化する前記ステップは、第一のアナログデジタル変換器を使用するステップを含み、及び／または、前記第二の信号をデジタル化する前記ステップは、第二のアナログデジタル変換器を使用するステップを含む、請求項１ないし請求項１１のいずれか記載の方法。
【請求項１３】
更に、イオン検出器が飽和した時または飽和しそうな時に得られたデータに対応する判断された前記第一のデジタル化信号及び／または前記第二のデジタル化信号内のデータにフラグを付けるステップを備える、請求項１ないし請求項１２のいずれか記載の方法。
【請求項１４】
更に、
（ａ）前記第一のデジタル化信号の少なくとも一部が飽和効果を被っていると判断された場合に、前記第一のデジタル化信号の少なくとも一部を、前記第二のデジタル化信号の少なくとも一部に置き換えるステップ、及び／または、
（ｂ）前記第二のデジタル化信号の少なくとも一部が飽和効果を被っていると判断された場合に、前記第二のデジタル化信号の少なくとも一部を、前記第一のデジタル化信号の少なくとも一部に置き換えるステップを備える、請求項１ないし請求項１３のいずれか記載の方法。
【請求項１５】
イオンを検出する方法であって、
第一の利得により乗算または増幅された信号に対応する第一の信号と、第二の異なる利得により乗算または増幅された信号に対応する第二の信号とをイオン検出器から出力するステップと、
第一のデジタル化信号を生成するために前記第一の信号をデジタル化するステップ及び第二のデジタル化信号を生成するために前記第二の信号をデジタル化するステップと、
結合デジタル化信号を形成するために、前記第一のデジタル化信号と前記第二のデジタル化信号とを結合するステップと、
前記結合デジタル化信号から強度及び到達時間、質量、または質量対電荷比データを決定するステップと、
最終的なスペクトルを形成するために、前記強度及び到達時間、質量、または質量対電荷比データを、複数の他の対応する強度及び到達時間、質量、または質量対電荷比データに加算するステップと、を備える方法。
【請求項１６】
更に、ピークまたはイオン到達事象のセットを検出するために前記結合デジタル化信号を処理するステップを備え、
前記結合デジタル化信号から前記強度及び到達時間、質量、または質量対電荷比データを決定する前記ステップは、望ましくは、更に、ピークまたはイオン到達事象の前記セット内のピークまたはイオン到達事象のそれぞれまたは少なくとも一部に対して、強度及び到達時間、質量、または質量対電荷比データを決定するステップを含み、
（ａ）前記強度及び到達時間、質量、または質量対電荷比データを決定する前記ステップは、望ましくは、更に、ピークまたはイオン到達事象内の最大デジタル化信号が、最大またはフルスケールデジタル化出力に等しいまたは接近していると判断された時、あるいは、他の形で飽和しているまたは飽和に接近している時に、前記第一のデジタル化信号内の各ピークまたはイオン到達事象にマークまたはフラグを付けるステップを含み、及び／または、
（ｂ）前記強度及び到達時間、質量、または質量対電荷比データを決定する前記ステップは、望ましくは、更に、ピークまたはイオン到達事象内の最大デジタル化信号が、最大またはフルスケールデジタル化出力に等しいまたは接近していると判断された時、あるいは、他の形で飽和しているまたは飽和に接近している時に、前記第二のデジタル化信号内の各ピークまたはイオン到達事象にマークまたはフラグを付けるステップを含み、
前記第一のデジタル化信号と前記第二のデジタル化信号とを結合する前記ステップは、任意で、更に、
（ｉ）マークまたはフラグが付いていない、あるいは、飽和状態に陥っていることまたは接近していることが他の形で示唆されていないピークまたはイオン到達事象のそれぞれまたは少なくとも一部に対して、前記第二のデジタル化信号から、ピーク強度及び到達時間、質量、または質量対電荷比データを選択するステップ、及び／または、
（ｉｉ）前記第二のデジタル化信号において最も近いまたは近接する到達時間を有する最近接ピークまたは近接ピークまたはイオン到達事象がマークまたはフラグ付けされている時、あるいは、飽和状態に陥っていることまたは接近していることが他の形で示唆されている時、前記第一のデジタル化信号から、ピーク強度及び到達時間、質量、または質量対電荷比データを選択するステップを含み、
前記方法は、任意で、更に、前記第一のデジタル化信号から選択された前記ピークまたはイオン到達事象をスケール係数によりスケーリングするステップを備える
請求項１５記載の方法。
【請求項１７】
イオンを検出する方法であって、
第一の利得により乗算または増幅された信号に対応する第一の信号と、第二の異なる利得により乗算または増幅された信号に対応する第二の信号とをイオン検出器から出力するステップと、
第一のデジタル化信号を生成するために前記第一の信号をデジタル化するステップ及び第二のデジタル化信号を生成するために前記第二の信号をデジタル化するステップと、
結合デジタル化信号を形成するために、前記第一のデジタル化信号と前記第二のデジタル化信号とを結合するステップと、
最終的なスペクトルを形成するために、前記結合デジタル化信号を、複数の他の対応する結合デジタル化信号に加算するステップと、
前記最終的なスペクトルから、強度及び到達時間、質量、または質量対電荷比データを決定するステップと、を備える方法。
【請求項１８】
更に、ピークまたはイオン到達事象のセットを検出するために前記最終的なスペクトルを処理するステップを備え、
前記最終的なスペクトルから、前記強度及び到達時間、質量、または質量対電荷比データを決定する前記ステップは、望ましくは、更に、ピークまたはイオン到達事象の前記セット内のピークまたはイオン到達事象のそれぞれまたは少なくとも一部に対して、強度及び到達時間、質量、または質量対電荷比データを決定するステップを含み、
（ａ）前記強度及び到達時間、質量、または質量対電荷比データを決定する前記ステップは、望ましくは、更に、ピークまたはイオン到達事象内の最大デジタル化信号が、最大またはフルスケールデジタル化出力に等しいまたは接近していると判断された時、あるいは、他の形で飽和しているまたは飽和に接近している時に、前記第一のデジタル化信号内の各ピークまたはイオン到達事象にマークまたはフラグを付けるステップを含み、及び／または、
（ｂ）前記強度及び到達時間、質量、または質量対電荷比データを決定する前記ステップは、望ましくは、更に、ピークまたはイオン到達事象内の最大デジタル化信号が、最大またはフルスケールデジタル化出力に等しいまたは接近していると判断された時、あるいは、他の形で飽和しているまたは飽和に接近している時に、前記第二のデジタル化信号内の各ピークまたはイオン到達事象にマークまたはフラグを付けるステップを含み、
前記第一のデジタル化信号と前記第二のデジタル化信号とを結合する前記ステップは、任意で、更に、
（ｉ）マークまたはフラグが付いていない、あるいは、飽和状態に陥っていることまたは接近していることが他の形で示唆されていないピークまたはイオン到達事象のそれぞれまたは少なくとも一部に対して、前記第二のデジタル化信号から、ピーク強度及び到達時間、質量、または質量対電荷比データを選択するステップ、及び／または、
（ｉｉ）前記第二のデジタル化信号において最も近いまたは近接する到達時間を有する最近接ピークまたは近接ピークまたはイオン到達事象がマークまたはフラグ付けされている時、あるいは、飽和状態に陥っていることまたは接近していることが他の形で示唆されている時、前記第一のデジタル化信号から、ピーク強度及び到達時間、質量、または質量対電荷比データを選択するステップを含み、
前記方法は、任意で、更に、前記第一のデジタル化信号から選択された前記ピークまたはイオン到達事象をスケール係数によりスケーリングするステップを備える、請求項１７記載の方法。
【請求項１９】
イオンを検出する方法であって、
第一の利得により乗算または増幅された信号に対応する第一の信号と、第二の異なる利得により乗算または増幅された信号に対応する第二の信号とをイオン検出器から出力するステップと、
第一のデジタル化信号を生成するために前記第一の信号をデジタル化するステップ及び第二のデジタル化信号を生成するために前記第二の信号をデジタル化するステップと、
第一の加算デジタル化信号を形成するために、前記第一のデジタル化信号を、複数の他の対応する第一のデジタル化信号に加算するステップと、
第二の加算デジタル化信号を形成するために、前記第二のデジタル化信号を、複数の他の対応する第二のデジタル化信号に加算するステップと、
前記第一の加算デジタル化信号から、第一の加算強度及び到達時間、質量、または質量対電荷比データを決定するステップと、
前記第二の加算デジタル化信号から、第二の加算強度及び到達時間、質量、または質量対電荷比データを決定するステップと、
最終的なスペクトルを形成するために、前記第一の加算強度及び到達時間、質量、または質量対電荷比データと前記第二の加算強度及び到達時間、質量、または質量対電荷比データとを結合するステップと、を備える方法。
【請求項２０】
更に、ピークまたはイオン到達事象の第一のセットを検出するために前記第一の加算デジタル化信号を処理するステップ、及び／または、ピークまたはイオン到達事象の第二のセットを検出するために前記第二の加算デジタル化信号を処理するステップを備え、
（ａ）前記第一の加算デジタル化信号から、前記第一の加算強度及び到達時間、質量、または質量対電荷比データを決定する前記ステップは、更に、ピークまたはイオン到達事象の前記第一のセット内のピークまたはイオン到達事象のそれぞれまたは少なくとも一部に対して、第一の加算強度及び到達時間、質量、または質量対電荷比データを決定するステップを含み、及び／または、
（ｂ）前記第二の加算デジタル化信号から、前記第二の加算強度及び到達時間、質量、または質量対電荷比データを決定する前記ステップは、更に、ピークまたはイオン到達事象の前記第二のセット内のピークまたはイオン到達事象のそれぞれまたは少なくとも一部に対して、第二の加算強度及び到達時間、質量、または質量対電荷比データを決定するステップを含み、任意で、
（ｉ）前記第一の加算強度及び到達時間、質量、または質量対電荷比データを決定する前記ステップは、更に、ピークまたはイオン到達事象内の最大デジタル化信号が、最大またはフルスケールデジタル化出力に等しいまたは接近していると判断された時、あるいは、他の形で飽和しているまたは飽和に接近している時に、ピークまたはイオン到達事象の前記第一のセット内の各ピークまたはイオン到達事象にマークまたはフラグを付けるステップを含み、及び／または、
（ｉｉ）前記第二の加算強度及び到達時間、質量、または質量対電荷比データを決定する前記ステップは、更に、ピークまたはイオン到達事象内の最大デジタル化信号が、最大またはフルスケールデジタル化出力に等しいまたは接近していると判断された時、あるいは、他の形で飽和しているまたは飽和に接近している時に、ピークまたはイオン到達事象の前記第二のセット内の各ピークまたはイオン到達事象にマークまたはフラグを付けるステップを含み、
前記第一の加算強度及び到達時間、質量、または質量対電荷比データと前記第二の加算強度及び到達時間、質量、または質量対電荷比データとを結合する前記ステップは、任意で、更に、
（Ａ）マークまたはフラグが付いていない、あるいは、飽和状態に陥っていることまたは接近していることが他の形で示唆されていないピークまたはイオン到達事象のそれぞれまたは少なくとも一部に対して、ピークまたはイオン到達事象の前記第二のセットから、ピーク強度及び到達時間、質量、または質量対電荷比データを選択するステップ、及び／または、
（Ｂ）ピークまたはイオン到達事象の前記第二のセットにおいて最も近いまたは近接する到達時間を有する最近接ピークまたは近接ピークまたはイオン到達事象がマークまたはフラグ付けされている時、あるいは、飽和状態に陥っていることまたは接近していることが他の形で示唆されている時、ピークまたはイオン到達事象の前記第一のセットから、ピーク強度及び到達時間、質量、または質量対電荷比データを選択するステップを含み、
前記方法は、任意で、更に、ピークまたはイオン到達事象の前記第一のセットから選択された前記ピークまたはイオン到達事象をスケール係数によりスケーリングするステップを備える、請求項１９記載の方法。
【請求項２１】
イオンを検出する方法であって、
第一の利得により乗算または増幅された信号に対応する第一の信号と、第二の異なる利得により乗算または増幅された信号に対応する第二の信号とをイオン検出器から出力するステップと、
第一のデジタル化信号を生成するために前記第一の信号をデジタル化するステップ及び第二のデジタル化信号を生成するために前記第二の信号をデジタル化するステップと、
前記第一のデジタル化信号から、第一の強度及び到達時間、質量、または質量対電荷比データを決定するステップと、
前記第二のデジタル化信号から、第二の強度及び到達時間、質量、または質量対電荷比データを決定するステップと、
第一の加算スペクトルを形成するために、前記第一の強度及び到達時間、質量、または質量対電荷比データを、複数の他の対応する第一の強度及び到達時間、質量、または質量対電荷比データに加算するステップと、
第二の加算スペクトルを形成するために、前記第二の強度及び到達時間、質量、または質量対電荷比データを、複数の他の対応する第二の強度及び到達時間、質量、または質量対電荷比データに加算するステップと、
最終的なスペクトルを形成するために、前記第一の加算スペクトルと前記第二の加算スペクトルとを結合するステップと、を備える方法。
【請求項２２】
更に、ピークまたはイオン到達事象の第一のセットを検出するために前記第一のデジタル化信号を処理するステップ、及び／または、ピークまたはイオン到達事象の第二のセットを検出するために前記第二のデジタル化信号を処理するステップを備え、
（ａ）前記第一のデジタル化信号から、前記第一の強度及び到達時間、質量、または質量対電荷比データを決定する前記ステップは、望ましくは、更に、ピークまたはイオン到達事象の前記第一のセット内のピークまたはイオン到達事象のそれぞれまたは少なくとも一部に対して、強度及び到達時間、質量、または質量対電荷比データを決定するステップを含み、及び／または、
（ｂ）前記第二のデジタル化信号から、前記第二の強度及び到達時間、質量、または質量対電荷比データを決定するステップは、望ましくは、更に、ピークまたはイオン到達事象の前記第二のセット内のピークまたはイオン到達事象のそれぞれまたは少なくとも一部に対して、強度及び到達時間、質量、または質量対電荷比データを決定するステップを含み、
任意で、
（ｉ）前記第一の強度及び到達時間、質量、または質量対電荷比データを決定する前記ステップは、更に、ピークまたはイオン到達事象内の最大デジタル化信号が、最大またはフルスケールデジタル化出力に等しいまたは接近していると判断された時、あるいは、他の形で飽和しているまたは飽和に接近している時に、ピークまたはイオン到達事象の前記第一のセット内の各ピークまたはイオン到達事象にマークまたはフラグを付けるステップを含み、及び／または、
（ｉｉ）前記第二の強度及び到達時間、質量、または質量対電荷比データを決定する前記ステップは、更に、ピークまたはイオン到達事象内の最大デジタル化信号が、最大またはフルスケールデジタル化出力に等しいまたは接近していると判断された時、あるいは、他の形で飽和しているまたは飽和に接近している時に、ピークまたはイオン到達事象の前記第二のセット内の各ピークまたはイオン到達事象にマークまたはフラグを付けるステップを含み、
最終的なスペクトルを形成するために、前記第一の加算スペクトルと前記第二の加算スペクトルとを結合する前記ステップは、任意で、更に、
（ａ）マークまたはフラグが付いていない、あるいは、飽和状態に陥っていることまたは接近していることが他の形で示唆されていないピークまたはイオン到達事象のそれぞれまたは少なくとも一部に対して、前記第二の加算スペクトルから、ピーク強度及び到達時間、質量、または質量対電荷比データを選択するステップ、及び／または、
（ｂ）前記第二の加算スペクトルにおいて最も近いまたは近接する到達時間を有する最近接ピークまたは近接ピークまたはイオン到達事象がマークまたはフラグ付けされている時、あるいは、飽和状態に陥っていることまたは接近していることが他の形で示唆されている時、前記第一の加算スペクトルから、ピーク強度及び到達時間、質量、または質量対電荷比データを選択するステップを含み、
前記方法は、任意で、更に、前記第一の加算スペクトルから選択された前記ピークまたはイオン到達事象をスケール係数によりスケーリングするステップを備える、請求項２１記載の方法。
【請求項２３】
前記第一の信号をデジタル化する前記ステップは、第一のアナログデジタル変換器を使用するステップを含み、及び／または、前記第二の信号をデジタル化する前記ステップは、第二のアナログデジタル変換器を使用するステップを含む、請求項１５ないし請求項２２のいずれか記載の方法。
【請求項２４】
更に、イオン検出器が飽和した時または飽和しそうな時に得られたデータに対応する判断された前記第一のデジタル化信号及び／または前記第二のデジタル化信号内のデータにフラグを付けるステップを備え、
前記方法は、任意で、更に、
（ａ）前記第一のデジタル化信号の少なくとも一部が飽和効果を被っていると判断された場合に、前記第一のデジタル化信号の少なくとも一部を、前記第二のデジタル化信号の少なくとも一部に置き換えるステップ、及び／または、
（ｂ）前記第二のデジタル化信号の少なくとも一部が飽和効果を被っていると判断された場合に、前記第二のデジタル化信号の少なくとも一部を、前記第一のデジタル化信号の少なくとも一部に置き換えるステップを備える、請求項１５ないし請求項２３のいずれか記載の方法。
【請求項２５】
イオン検出器システムであって、
第一の利得により乗算または増幅された信号に対応する第一の信号と、第二の異なる利得により乗算または増幅された信号に対応する第二の信号とをイオン検出器から出力するように配置構成された装置と、
第一のデジタル化信号を生成するために前記第一の信号をデジタル化するように配置構成された装置及び第二のデジタル化信号を生成するために前記第二の信号をデジタル化するように配置構成された装置と、
前記第一のデジタル化信号から、第一の強度及び到達時間、質量、または質量対電荷比データを決定するように配置構成された装置と、
前記第二のデジタル化信号から、第二の強度及び到達時間、質量、または質量対電荷比データを決定するように配置構成された装置と、
結合データセットを形成するために、前記第一の強度及び到達時間、質量、または質量対電荷比データと前記第二の強度及び到達時間、質量、または質量対電荷比データとを結合するように配置構成された装置と、を備えるイオン検出器システム。
【請求項２６】
イオン検出器システムであって、
第一の利得により乗算または増幅された信号に対応する第一の信号と、第二の異なる利得により乗算または増幅された信号に対応する第二の信号とをイオン検出器から出力するように配置構成された装置と、
第一のデジタル化信号を生成するために前記第一の信号をデジタル化するように配置構成された装置及び第二のデジタル化信号を生成するために前記第二の信号をデジタル化するように配置構成された装置と、
結合デジタル化信号を形成するために、前記第一のデジタル化信号と前記第二のデジタル化信号とを結合するように配置構成された装置と、
前記結合デジタル化信号から強度及び到達時間、質量、または質量対電荷比データを決定するように配置構成された装置と、
最終的なスペクトルを形成するために、前記強度及び到達時間、質量、または質量対電荷比データを、複数の他の対応する強度及び到達時間、質量、または質量対電荷比データに加算するように配置構成された装置と、を備えるイオン検出器システム。
【請求項２７】
イオン検出器システムであって、
第一の利得により乗算または増幅された信号に対応する第一の信号と、第二の異なる利得により乗算または増幅された信号に対応する第二の信号とをイオン検出器から出力するように配置構成された装置と、
第一のデジタル化信号を生成するために前記第一の信号をデジタル化するように配置構成された装置及び第二のデジタル化信号を生成するために前記第二の信号をデジタル化するように配置構成された装置と、
結合デジタル化信号を形成するために、前記第一のデジタル化信号と前記第二のデジタル化信号とを結合するように配置構成された装置と、
最終的なスペクトルを形成するために、前記結合デジタル化信号を、複数の他の対応する結合デジタル化信号に加算するように配置構成された装置と、
前記最終的なスペクトルから、強度及び到達時間、質量、または質量対電荷比データを決定するように配置構成された装置と、を備えるイオン検出器システム。
【請求項２８】
イオン検出器システムであって、
第一の利得により乗算または増幅された信号に対応する第一の信号と、第二の異なる利得により乗算または増幅された信号に対応する第二の信号とをイオン検出器から出力するように配置構成された装置と、
第一のデジタル化信号を生成するために前記第一の信号をデジタル化するように配置構成された装置及び第二のデジタル化信号を生成するために前記第二の信号をデジタル化するように配置構成された装置と、
第一の加算デジタル化信号を形成するために、前記第一のデジタル化信号を、複数の他の対応する第一のデジタル化信号に加算するように配置構成された装置と、
第二の加算デジタル化信号を形成するために、前記第二のデジタル化信号を、複数の他の対応する第二のデジタル化信号に加算するように配置構成された装置と、
前記第一の加算デジタル化信号から、第一の加算強度及び到達時間、質量、または質量対電荷比データを決定するように配置構成された装置と、
前記第二の加算デジタル化信号から、第二の加算強度及び到達時間、質量、または質量対電荷比データを決定するように配置構成された装置と、
最終的なスペクトルを形成するために、前記第一の加算強度及び到達時間、質量、または質量対電荷比データと前記第二の加算強度及び到達時間、質量、または質量対電荷比データとを結合するように配置構成された装置と、を備えるイオン検出器システム。
【請求項２９】
イオン検出器システムであって、
第一の利得により乗算または増幅された信号に対応する第一の信号と、第二の異なる利得により乗算または増幅された信号に対応する第二の信号とをイオン検出器から出力するように配置構成された装置と、
第一のデジタル化信号を生成するために前記第一の信号をデジタル化するように配置構成された装置及び第二のデジタル化信号を生成するために前記第二の信号をデジタル化するように配置構成された装置と、
前記第一のデジタル化信号から、第一の強度及び到達時間、質量、または質量対電荷比データを決定するように配置構成された装置と、
前記第二のデジタル化信号から、第二の強度及び到達時間、質量、または質量対電荷比データを決定するように配置構成された装置と、
第一の加算スペクトルを形成するために、前記第一の強度及び到達時間、質量、または質量対電荷比データを、複数の他の対応する第一の強度及び到達時間、質量、または質量対電荷比データに加算するように配置構成された装置と、
第二の加算スペクトルを形成するために、前記第二の強度及び到達時間、質量、または質量対電荷比データを、複数の他の対応する第二の強度及び到達時間、質量、または質量対電荷比データに加算するように配置構成された装置と、
最終的なスペクトルを形成するために、前記第一の加算スペクトルと前記第二の加算スペクトルとを結合するように配置構成された装置と、を備えるイオン検出器システム。